(57)【要約】【課題】扉破壊操作を有効に防止することのできる自動販売機用扉錠の提供を目的とする【解決手段】断面Ｌ字状のガードプレート１と、  自動販売機筐体２の扉ヒンジが配置される隅角部の底壁に固定され、施錠状態において前記ガードプレート１を嵌合溝３内に抜去不能に嵌合する錠本体４とを有し、  ガードプレート１装着状態において自動販売機の扉ヒンジ近傍における扉５下端縁と自動販売機筐体２との境界を覆い隠す。【選択図】  図１
2007280086.tif 000002
【特許請求の範囲】
【請求項１】
断面Ｌ字状のガードプレートと、
自動販売機筐体の扉ヒンジが配置される隅角部の底壁に固定され、施錠状態において前記ガードプレートを嵌合溝内に抜去不能に嵌合する錠本体とを有し、
ガードプレート装着状態において自動販売機の扉ヒンジ近傍における扉下端縁と自動販売機筐体との境界を覆い隠す自動販売機用扉錠。
【請求項２】
前記自動販売機筐体の床設置脚が貫通する周囲が閉じられた脚貫通開口を有し、
脚貫通開口の周壁により設置床面に平行方向の並進移動力による自動販売機筐体からの脱離を規制する請求項１記載の自動販売機扉錠。
【請求項３】
前記脚貫通開口は、一側方が開放されて床設置脚を側方への相対移動により受容可能な切欠状開口の開放部を後付け可能な閉塞部材により閉塞して形成される請求項２記載の自動販売機扉錠。
【発明の詳細な説明】
【技術分野】
【０００１】
本発明は、自動販売機用扉錠に関するものである。
【背景技術】
【０００２】
扉のヒンジ側端部からの破壊操作に対する耐性を向上させた自動販売機用の扉錠としては、特許文献１に記載のものが知られている。この従来例において、自動販売機扉のヒンジ側側壁にはシリンダ錠により回転操作される回動レバーが配置される。回動レバーは、施錠状態において筐体側のロックプレートの開口に係止し、ヒンジ側の隙間等を利用した扉の不正開放操作を規制する。
【特許文献１】特開２００１-７３６０９号公報
【発明の開示】
【発明が解決しようとする課題】
【０００３】
しかし、上述した従来例において、扉錠は、扉と筐体とを回動レバーにより連結するものであるために、例えば、扉をバール等により引き上げてヒンジ部を脱離、あるいは破壊する程度の大きな破壊強度が負荷された場合には、回動レバーの係止状態の強制解除を完全に防止できないという欠点がある。
【０００４】
本発明は、以上の欠点を解消すべくなされたものであって、扉破壊操作を有効に防止することのできる自動販売機用扉錠の提供を目的とする。
【課題を解決するための手段】
【０００５】
ヒンジピン等のヒンジ部材を介して自動販売機筐体２に連結される自動販売機の扉５は、一般に板金等により形成されるために、例えば、扉５と自動販売機筐体２との隙間にバール等を差し込んでこじることによる不正変形操作に対する高い耐性は望めない。扉５の不正変形は、必ずしも扉５の破壊につながるものではないが、扉５の下端に固定されるヒンジピン等のヒンジ部材と自動販売機筐体２側のヒンジ受けとの間に大きな相対移動が発生するような変形がもたらされると、ヒンジ部への異常負荷によるヒンジ部の破壊、あるいはヒンジ部材とヒンジ受けとの嵌合脱離等が発生して扉５が破壊されるおそれがある。
【０００６】
上述したヒンジ部へのダメージを与えるための不正操作に、扉５の下端縁と自動販売機筐体２との間の隙間にバール等を差し込んで扉５を強制的に上方に引き上げるものがあるが、この場合、バールはヒンジ部近傍に差し込まなければヒンジ部へのダメージを与えることはできない。バール、すなわち、扉５への作用点がヒンジ部から離れていると、扉５全体の剛性が高くないために、作用点近傍のみが変形し、変形力をヒンジ部に伝達できないことによる。
【０００７】
したがって、上記モードによる扉５の破壊を防止するためには、扉５の下端縁全長に渡って隙間を埋める必要はなく、ヒンジ部近傍のみだけバール挿入を規制すれば足りる。
【０００８】
本発明は、以上の知見に基づいてなされたもので、自動販売機用扉錠は、
断面Ｌ字状のガードプレート１と、
自動販売機筐体２の扉ヒンジが配置される隅角部の底壁に固定され、施錠状態において前記ガードプレート１を嵌合溝３内に抜去不能に嵌合する錠本体４とを有し、
ガードプレート１装着状態において自動販売機の扉ヒンジ近傍における扉５下端縁と自動販売機筐体２との境界を覆い隠すように構成される。
【０００９】
本発明において、ガードプレート１を錠本体４は上方に向けて開口する嵌合溝３に嵌合させて施錠すると、自動販売機の扉ヒンジ近傍の隙間はガードプレート１により覆われ、以後、当該隙間にバールを差し込んで扉５を破壊することができなくなる。錠本体４の自動販売機筐体２に対する固定位置は、嵌合溝３の内壁が自動販売機の隣接する２壁面に合致させることにより正確に決定され、嵌合溝３の内壁を自動販売機の側壁、および正面壁に当接する高さに形成すると、当該内壁を自動販売機に沿わせるだけで、固定位置を容易に、かつ、正確に決定することができる。
【００１０】
Ｌ字断面形状を有するガードプレート１の辺長は、概ね正面視においてヒンジ部を覆うように設定されれば足りるが、望ましくは、自動販売機の剛性を考慮し、実験的に求められたヒンジ部へのダメージ付与が可能な範囲をもとに決定される。
【発明の効果】
【００１１】
本発明によれば、ヒンジ部近傍の扉と自動販売機筐体との間の隙間がガードプレートにより覆われるために、当該隙間にバール等を差し込んだ扉破壊操作を有効に防止することができる。
【発明を実施するための最良の形態】
【００１２】
図１に本発明の錠装置が固定された自動販売機を示す。自動販売機は、レベルフット（床設置脚６）により設置床面上に設置される自動販売機筐体２の前方開口を扉５により開放可能に閉塞して形成される。扉５前面には、図外の主錠を施解錠操作するための錠操作部９が配置される。上記扉５は、自動販売機筐体２の天井面と底壁面に固定されるヒンジ受けにヒンジ部材を連結して自動販売機筐体２に連結され、ヒンジ部材近傍の扉５と自動販売機筐体２との間の隙間を閉塞するために錠装置が装着される。ヒンジ部材は、自動販売機の一隅に配置される床設置脚６の直上に配置される。
【００１３】
錠装置は、図２に示すように、シリンダ錠１０により施解錠操作可能な錠本体４と、錠本体４に形成される平面視Ｌ字形状の嵌合溝３に嵌合されるガードプレート１とを有する。ガードプレート１は、Ｌ字形断面形状を有する板状部材であり、適宜板厚を有して強度が保障された金属製板材を折り曲げて形成されるコアプレート１ａの表層を金属薄板１ｂにより覆って形成される。
【００１４】
このガードプレート１の下端内壁部には後述するロック片１１ａが嵌合する縦長のロック孔１ｃが開設されるとともに、外側壁面には、引き上げ操作の便宜を図るための手掛け凹部１ｄが形成される。手掛け凹部１ｄは、ガードプレート１に不正な引き上げ力を与えるための作用点として利用されることのないように、深さが浅く、かつ、稜線部に十分な曲率が付与される。また、ガードプレート１の下端には、後述する閉塞部材８の係止部との干渉を防止するための凹部１ｅが形成される。
【００１５】
図２、３に示すように、嵌合溝３は、十分な強度を有する板材を折り曲げて外側壁、端面壁、および底壁を形成したケースボックス１２と、内壁を形成するケースカバー１３とを例えば溶接等の適宜手段により連結して形成される。図３（ａ）に示すように、ケースカバー１３には、嵌合溝３内に嵌合されたガードプレート１のロック孔１ｃに正対する矩形孔１３ａが開設される。
【００１６】
上記嵌合溝３に嵌合されるガードプレート１を抜去不能に拘束するために、錠本体４にはロック部１４が配置される。図３、４に示すように、ロック部１４は、錠保持プレート１４ａに水平に固定されるシリンダ錠１０と、シリンダ錠１０に連結されるコネクトシャフト１４ｂによりケースカバー１３に向けて進退駆動されるロックプレート１１とを有する。
【００１７】
錠保持プレート１４ａは、板金をＣ字形状に折り曲げて形成され、上記シリンダ錠１０は、一方の立ち上がり壁１４ｃにナット１５を使用して固定される。また、この錠保持プレート１４ａの天板部１４ｄには複数のねじ挿通孔１４ｅが穿孔される。
【００１８】
上記コネクトシャフト１４ｂを保持するために、ケースカバー１３にはガイドプレート１６が固定される。図４に示すように、ガイドプレート１６は、固定片１６ａに形成されるねじ挿通孔１６ｂを貫通するビス１７を使用してケースカバー１３にねじ止めされ、立ち上がり片１６ｃに形成されるシャフト保持片１６ｄにおいてコネクトシャフト１４ｂを支持する。
【００１９】
上記ロックプレート１１は、両端部に上記ケースカバー１３側に突出するロック片１１ａを曲成した板状部材であり、下端縁が上記ガイドプレート１６の立ち上がり片１６ｃと固定片１６ａとの間に形成される水平片１６ｅに支承された状態で保持される。また、ロックプレート１１の中央部上端には被駆動片１１ｂがコネクトシャフト１４ｂ側に突設される。被駆動片１１ｂは、ガイドプレート１６を貫通し、コネクトシャフト１１ｂの直上位置に至る。
【００２０】
この被駆動片１１ｂには、カム孔１１ｃが開設されるとともに、コネクトシャフト１４ｂには、カム孔１１ｃ内に挿入される板状カム１８が固定される。板状カム１８のカム突起１８ａとカム孔１１ｃは、図５（ａ）に示すように、シリンダ錠１０が施錠回転位置にあるときにはロックプレート１１をケースカバー１３側に押し出し、図５（ｂ）に示すように、解錠回転位置においては、コネクトシャフト１４ｂ側に引き込むように設定される。
【００２１】
図５（ａ）に示すように、ロックプレート１１の押し出し位置において、ロック片１１ａはケースカバー１３の矩形孔１３ａを貫通して嵌合溝３内に進入する。嵌合溝３内にガードプレート１が嵌合されている場合には、ロック片１１ａはロック孔１ｃに嵌合し、以後、ガードプレート１の抜去が規制される。
【００２２】
この状態からシリンダ錠１０を解錠位置まで回転させると、図５（ｂ）に示すように、ロック片１１ａはロック孔１ｃから退避するために、ガードプレート１を嵌合溝３から抜去することができる。
【００２３】
以上のように構成される錠本体４は、図６に示すように、閉塞部材８を使用して自動販売機筐体２に装着される。閉塞部材８を固定する前においては、嵌合溝３の内壁と錠保持プレート１４ａとの間には床設置脚６が挿通可能な開口が確保されているために、錠本体４は、図６（ｂ）に示すように、自動販売機筐体２の底壁に錠保持プレート１４ａを沿わせるようにして、上記開口から床設置脚６に嵌め込むことにより所定位置に移動させることができる。このとき、嵌合溝３の内壁を自動販売機筐体２の壁面に当接させるだけで、装着位置を正確に決定することができる。
【００２４】
閉塞部材８は、上記錠保持プレート１４ａのねじ挿通孔１４ｅと等ピッチで複数のねじ孔８ａが設けられた板体で、錠保持プレート１４ａの裏面に沿わせる状態で固定される。この閉塞部材８の固定は、錠本体４を自動販売機筐体２に添わせた状態で、一側縁に係止される折り曲げ片８ｂをケースカバー１３の係止開口１３ｂに係止させた後、予め自動販売機筐体２の底壁に開設したねじ挿通孔、および錠保持プレート１４ａのねじ挿通孔１４ｅに合致させたねじ孔８ａにボルト１９をねじ込んで行われる。
【００２５】
閉塞部材８を固定した状態で、自動販売機筐体２の床設置脚６は、ケースカバー１３、錠保持プレート１４ａ、および閉塞部材８により囲まれ、自動販売機筐体２のボルト装着部が引きちぎられてボルト１９による自動販売機筐体２との連結が破壊されても、錠本体４が自動販売機筐体２から脱離することはない。また、ケースカバー１３、錠保持プレート１４ａ、および閉塞部材８により形成される脚貫通開口７は、錠本体４を固定位置に位置させた後に閉塞されるために、床設置脚６を脚貫通開口７に挿通させるために、自動販売機筐体２を傾ける面倒な作業を要しない。
【図面の簡単な説明】
【００２６】
【図１】自動販売機を示す斜視図である。
【図２】錠装置を示す斜視図である。
【図３】錠装置を示す図で、（ａ）は平面図、（ｂ）は（ａ）の３Ｂ-３Ｂ線断面図である。
【図４】ロック部を示す斜視図である。
【図５】ロック部の動作を示す図で、（ａ）は施錠状態における図３（ａ）の５Ａ-５Ａ線断面図、（ｂ）は解錠状態における図３（ａ）の５Ａ-５Ａ線断面図である。
【図６】錠本体の自動販売機への固定状態を示す図で、（ａ）は平面図、（ｂ）は（ａ）の６Ｂ-６Ｂ線断面図である。
【符号の説明】
【００２７】
１        ガードプレート
２        自動販売機筐体
３        嵌合溝
４        錠本体
５        扉
６        床設置脚
７        脚貫通開口
８        閉塞部材
【図１】
2007280086.tif 000003
【図２】
2007280086.tif 000004
【図３】
2007280086.tif 000005
【図４】
2007280086.tif 000006
【図５】
2007280086.tif 000007
【図６】
2007280086.tif 000008